(57)【要約】【課題】光記録再生装置の記録パワー個体差を十分吸収できる光記録再生装置における記録パワー調整方法を提供すること。【解決手段】光ディスクの試し書き領域に試し書きを行ってレーザーダイオードの記録パワーを調整する光記録再生装置における記録パワー調整方法において、試し書きの際に設定した複数種類の記録パワーと、それぞれの記録パワーにおけるＲＦ信号から算出したモジュレーションｍより記録パワー毎にｎ乗式の相関係数を算出し、算出したｎ乗式の相関係数の中から最大となるｎ乗値を選択し、この選択した最適なｎ乗値により一次近似式を作成し、作成した一次近似式より最適記録パワーを算出する。【選択図】  図２
2007234165.tif 000002
【特許請求の範囲】
【請求項１】
光ディスクの試し書き領域に試し書きを行ってレーザーダイオードの記録パワーを調整する光記録再生装置における記録パワー調整方法において、
前記試し書きの際に設定した複数種類の記録パワーＰwと、それぞれの記録パワーＰwにおけるＲＦ信号から算出したモジュレーションｍより前記モジュレーションｍと前記記録パワーＰwのｎ乗（ｎ≧２）との乗算値ｍ＊Ｐwｎと、前記記録パワーのｎ乗（ｎ≧２）であるＰwｎの関係より、一次近似式を作成することを特徴とする光記録再生装置における記録パワー調整方法。
【請求項２】
請求項１に記載の記録パワー調整方法において、
前記算出した各ｎ乗式の相関関係の中から最も相関関係の強いｎ乗値を選択し、この選択したｎ乗値により一次近似式を作成し、
前記作成した一次近似式より最適記録パワーＰwoを算出することを特徴とする光記録再生装置における記録パワー調整方法。
【請求項３】
請求項２に記載の記録パワー調整方法において、前記最適記録パワーＰwoを算出するために必要なＰスレッショホールドＰthrは、前記一次近似直線をｙ＝ａｘ＋ｂとしたときに、
Ｐthr＝−(ｂ／ａ)(1/n)
で算出することを特徴とする光記録再生装置における記録パワー調整方法。
【請求項４】
請求項２に記載の記録パワー調整方法において、前記最適記録パワーＰwoは、前記選択したｎ乗値から求めたＰスレッショホールドＰthrと光ディスク毎に求めた係数カッパκとを積算することにより算出することを特徴とする光記録再生装置における記録パワー調整方法。
【請求項５】
光ディスクの試し書き領域に試し書きを行ってレーザーダイオードの記録パワーを調整する光記録再生装置において、
前記試し書きの際に設定した複数種類の記録パワーＰwと、それぞれの記録パワーＰwにおけるＲＦ信号から算出したモジュレーションｍより各ｎ乗式の相関関係を算出する算出手段と、
前記算出手段で算出した各ｎ乗式の相関関係の中から最も相関関係の強いｎ乗値を選択し、この選択した最適なｎ乗値により一次近似式を作成する一次近似式作成手段と、
前記一次近似式作成手段で作成した一次近似式より最適記録パワーＰwoを算出する最適記録パワー算出手段とを有することを特徴とする光記録再生装置。
【発明の詳細な説明】
【技術分野】
【０００１】
本発明は光記録再生装置、より具体的には書換型光記録再生装置におけるレーザパワーの調整方法に関する。
【背景技術】
【０００２】
近年、データ、音楽または映像等のデジタル情報の記録媒体として光ディスクの普及は目覚しいものがある。この種の光ディスクとしては、例えばＣＤ−Ｒ等の追記型光ディスクやＣＤ−ＲＷ等の書換型光ディスク、またはレーザ光源としての半導体レーザの短波長化、高い開口数(Numerical Aperture)を有する高ＮＡ対物レンズによるスポット径の小型化、および薄型基板の採用等によりＤＶＤ±Ｒ，ＤＶＤ±ＲＷ，ＤＶＤ−ＲＡＭ等の大容量の光ディスクが知られている。
【０００３】
この種の光ディスクでは、レーザーダイオードにより情報の記録を行うが、光ディスクそれぞれの特性等の違いや光ディスク装置との相性により最適な記録パラメータが異なる。すなわち、同一種別であっても、製造メーカ毎、個々のメディア毎にレーザダイオードの最適な記録パワーが相違する。このため、光ディスクに記録・再生を行う光記録再生装置では、個々の光ディスクに応じてレーザーダイオードの記録パワーが最適になるように、テストエリアで試し書きを行い、その結果から記録パワーの調整を行う工夫がなされている。
【０００４】
これら光ディスクの中でＣＤ−ＲＷやＤＶＤ±ＲＷ等の書換型光ディスクでは、γ値による記録パワーの調整法（γ法）を使用してレーザーダイオードの最適記録パワーを求めることが一般的である。例えばＤＶＤ＋ＲＷの規格書等には、リニアフィット（Linear Fit）法を用いることが推奨されている。このリニアフィット法は、試し書きの際に設定した数種のレーザーダイオードの記録パワーＰwと、これら記録パワーＰwで試し書きを行ったときの再生反射光強度の変調度ｍからｍ*Ｐwを求める。そして、この記録パワーＰwの値をグラフの横軸に、またそのときのｍ*Ｐwの値を縦軸にしてグラフプロットしたデータから一次近似直線を作成し、これより求めた値Ｐthrと光ディスク情報であるγtargetおよびρを用いて最適記録パワーＰwｏを計算する方法である。
【０００５】
このように、リニアフィット法では記録パワーＰwと、この値と変調度ｍとを乗算したｍ*Ｐwとの関係特性に直線近似式が成立することが前提となるが、実際に測定してみるとそれぞれの測定点は直線状にならず、やや湾曲することがある。このような湾曲があると、使用するデータによって１次近似直線の傾きが違ってくるので、最適記録パワーが一定とならず、最悪の場合再生不能となる記録パワーを選択する場合がある。
【０００６】
したがって、ｍ*Ｐwを２，３個程度求めただけでは直線近似を正確に行うことができず、かなりの数の試し書きとｍ*Ｐwの演算を繰り返さなければ精度の良い記録パワーを求めることができないことがわかった。試し書きを多数回繰り返すと、その分、記録パワーの最適化のための調整時の処理負担が増大し、調整時間が長くなってしまう。
【０００７】
このため、たとえば特許文献１では、少ない回数の試し書きでも比較的精度良く最適記録パワーを求めることができる従来技術が開示されている。すなわち、この従来技術では、図２０に示すように、ｍ*Ｐwの代わりに変調度ｍに記録パワーＰwの２乗を乗算したｍ＊Ｐw２値を用い、これをグラフの縦軸にすることで（横軸は記録パワーＰwのまま）、少ない回数の試し書きでも比較的精度良く記録パワーの最適化を行っている。
【特許文献１】特開２００５−２０９２８７
【発明の開示】
【発明が解決しようとする課題】
【０００８】
しかしながら、確かに特許文献１に開示された技術では、リニアフィット法をそのまま用いるよりは記録パワーの最適化を安定して行うことができるが、この従来技術でも光記録再生装置の個体差等を十分吸収できないことがあることが実験等により解った。
【０００９】
本発明はこのような従来技術の課題を解決し、光記録再生装置の記録パワー個体差を十分吸収できる光記録再生装置における記録パワー調整方法を提供することを目的とする。
【課題を解決するための手段】
【００１０】
本発明は上記課題を解決するために、請求項１に記載された発明は、光ディスクの試し書き領域に試し書きを行ってレーザーダイオードの記録パワーを調整する光記録再生装置における記録パワー調整方法において、試し書きの際に設定した複数種類の記録パワーＰwと、それぞれの記録パワーＰwにおけるＲＦ信号から算出したモジュレーションｍよりモジュレーションｍと記録パワーＰwのｎ乗（ｎ≧２）との乗算値ｍ＊Ｐwｎと、前記記録パワーのｎ乗（ｎ≧２）であるＰwｎの関係より、一次近似式を作成することを特徴とする光記録再生装置における記録パワー調整方法。
【００１１】
請求項２に記載された発明は、請求項１に記載の記録パワー調整方法において、算出した各ｎ乗式の相関関係の中から最も相関関係の強いｎ乗値を選択し、この選択したｎ乗値により一次近似式を作成し、作成した一次近似式より最適記録パワーＰwoを算出することを特徴とする。
【００１２】
請求項３に記載された発明は、請求項２に記載の記録パワー調整方法において、最適記録パワーＰwoを算出するために必要なＰスレッショホールドＰthrは、一次近似直線をｙ＝ａｘ＋ｂとしたときに、Ｐthr＝−(ｂ／ａ)(1/n) で算出することを特徴とする。
【００１３】
請求項４に記載された発明は、請求項２に記載の記録パワー調整方法において、最適記録パワーＰwoは、選択したｎ乗値から求めたＰスレッショホールドＰthrと光ディスク毎に求めた係数カッパκとを積算することにより算出することを特徴とする。
【００１４】
請求項５に記載された発明は、光ディスクの試し書き領域に試し書きを行ってレーザーダイオードの記録パワーを調整する光記録再生装置において、試し書きの際に設定した複数種類の記録パワーＰwと、それぞれの記録パワーＰwにおけるＲＦ信号から算出したモジュレーションｍより各ｎ乗式の相関関係を算出する算出手段と、算出手段で算出した各ｎ乗式の相関関係の中から最も相関関係の強いｎ乗値を選択し、この選択した最適なｎ乗値により一次近似式を作成する一次近似式作成手段と、一次近似式作成手段で作成した一次近似式より最適記録パワーＰwoを算出する最適記録パワー算出手段とを有することを特徴とする。
【発明の効果】
【００１５】
本発明によれば、光ディスク毎に最適な一次近似式を作成できるｎ乗値を選択するようにした。このため、光記録再生装置の記録パワー個体差を十分考慮した範囲で書換型光ディスクの試し書き(OPC:Optimum Power Calibration)動作を実施し、所定数のデータで記録パワーの計算を行ったときに、従来技術と比較して精度の高い最適記録パワーを求めることができる。また、本発明では光ディスク情報であるγtargetおよびρを使用せず、光ディスク毎に求めたカッパκを使用することで、さらに精度の高い最適記録パワーを求めることが可能である。
【発明を実施するための最良の形態】
【００１６】
次に添付図面を参照して本発明による光記録再生装置における記録パワー調整方法の実施の形態を詳細に説明する。
図１を参照すると本発明による光記録再生装置の機能ブロック図が示されている。光ディスク１は、半導体レーザにより情報の記録、再生、消去（ＲＷおよびＲＡＭのみ）が行える記録媒体であり、例えばＣＤ−Ｒ、ＣＤ−ＲＷ、ＤＶＤ±Ｒ、ＤＶＤ±ＲＷ、ＤＶＤ−ＲＡＭ等がある。
【００１７】
スピンドルモータ２００は、光ディスク１を回転させるモータであり、線速度一定または角速度一定に回転させる。スピンドルモータ２００は、ドライバ２０８により回転速度等が制御される。
【００１８】
光ピックアップ装置２０２は、トラックが形成された光ディスク１の記録面にレーザ光を照射するとともに、記録面からの反射光を受光するための装置である。この光ピックアップ装置２０２は、レーザーダイオード、コリメートレンズ、ビームスプリッタ、対物レンズ、検出レンズ、受光器およびフォーカスアクチュエータやトラッキングアクチュエータ等の駆動系を備えている。
【００１９】
ステッピングモータ２０６はスライダ２０７を駆動して光ピックアップ装置２０２をトラック方向に移動させるモータである。ステッピングモータ２０６は、スピンドルモータ２００と同様にドライバ２０８によって駆動制御される。
【００２０】
アナログフロントエンド２１０は、光ピックアップ装置２０２からの検出信号を成形してデジタル信号にするための信号処理回路である。光ピックアップ装置２０２からの検出信号自体はアナログであり、検出されるレベルも微少かつ不安定である。このため、アナログフロントエンド２１０でレベルを増幅したり揃えたり、きれいな方形波に直すための閾値を常に調節している。アナログフロントエンド２１０はまた、光ピックアップ装置２０２より記録中の光ディスク１からの反射光量を受信するとそのレベルをＭＰＵ２２０に通知する。
【００２１】
デジタル信号処理回路２１２は、フォトディテクタの各領域への反射光量の総和を示すＲＦ信号を生成するとともに、光ピックアップ装置２０２の照射レーザの焦点ずれを検出した信号であるフォーカスエラー信号を非点収差法によって生成し、さらに光ピックアップ装置２０２の照射レーザのトラックずれを検出した信号であるトラッキングエラー信号をプッシュプル法によって生成する。また、生成されたフォーカスエラー信号およびトラッキングエラー信号に基づいて、フォーカス駆動信号、トラッキング駆動信号を生成し、ドライバ２０８に出力する。
【００２２】
さらに、デジタル信号処理回路２１２はＭＰＵ２２０からスピンドルモータ２００、光ピックアップ装置２０２またはステッピングモータ２０６の制御命令を受信すると、ドライバ２０８に出力する。ドライバドライバ２０８は、これらエラー信号や制御命令を入力すると、スピンドルモータ２００、光ピックアップ装置２０２、ステッピングモータ２０６の駆動制御を行う。
【００２３】
エンコーダ／デコーダ(Encoder/Decoder)２１４は、パーソナルコンピュータ３から送られてきた光ディスク１に記録する情報をエンコードしてデジタル信号処理回路２１２に出力するとともに、光ディスク１で読み取った情報をデコードしてパーソナルコンピュータ３に送る回路である。
【００２４】
バッファメモリ２１６はパーソナルコンピュータ３との間でやり取りする情報を一時的に記憶するメモリである。ホストインタフェイス２１８はパーソナルコンピュータ３との物理レベルおよび信号レベルでの接続を行うためのインターフェイスである。
【００２５】
ＭＰＵ２２０は、フラッシュメモリ２２２に記憶されたプログラムおよびデータ（ファームウェア）に従って光ディスク装置全体を制御するメインＣＰＵである。ＭＰＵ２２０は、本実施の形態では通常の光ディスク装置の制御の他に、光ディスクの試し書き領域に試し書きを行って、光ピックアップ装置２０２のレーザダイオードにおける記録パワーＰwの調整機能を備えている。具体的には、試し書きの際に設定した複数種類の記録パワーと、それぞれの記録パワーにおけるＲＦ信号から算出したモジュレーションｍより各ｎ乗式の相関係数を算出する算出機能を備え、相関係数の中から最大となるｎ乗値（相関関係の中から最も相関関係の強いｎ乗値）により一次近似式を作成し、これより最適記録パワーを算出する機能を備えている。ＭＰＵ２２０はまた、相関係数およびＰスレッシュホールドＰthrの算出機能も備えている。
【００２６】
フラッシュメモリ２２２は、前述したようにＭＰＵ２２０の動作に必要なプログラムおよびデータが格納されたメモリである。フラッシュメモリ２２２はまた、最適記録パワーの計算に用いるデータや相関係数およびカッパκ等も一時的に記憶される。フラッシュメモリ２２２はさらに、ライトストラテジに関するデータおよびライトストラテジ設計者が設定する記録パワーＰws等も記憶されている。
【００２７】
図２〜図４は本発明による光記録再生装置における記録パワー調整方法の実施の形態を示すフローチャートである。以下、これら図を用いて本実施の形態における動作を説明する。
【００２８】
図２はストラテジ設計者が光ディスク毎に最適なｎ乗値およびカッパκを決定するための動作フローである。初めにレーザーダイオードの記録パワーの始点と終点を設定する。これは、ライトストラテジ設計者が設定した記録パワーＰsに対して+１５％から-４５％を始点と終点に設定する（ステップＳ１００）。なお、本明細書において、記録パワーＰwとは図５に示すパルスのピークＰwのパワーを意味する。
【００２９】
次に、ステップＳ１００で設定した始点と終点を１８ステップを目安に分割し、記録パワーＰwの間隔設定を行う（ステップＳ１０２）。ステップＳ１０２で設定した間隔の記録パワーＰwでＯＰＣエリアに試し書きを行い、そのＲＦ信号を読み取ってモジュレーションｍを計算する（ステップＳ１０４）。図６はモジュレーションｍの算出を説明するためのＲＦ信号の波形を図示したものである。図６において、リファレンスレベルである０レベルから最も強いＲＦ信号をＩ14H、最も弱いＲＦ信号をＩ14Lとすると、モジュレーションｍは、
ｍ＝（Ｉ14H−Ｉ14L）／Ｉ14H
で求めることができる。
【００３０】
モジュレーションｍを算出すると、次に相関係数の算出を行う（ステップＳ１０６）。モジュレーションｍを算出後、ステップＳ１０２で設定した１８ステップの記録パワーで縦軸がｍ＊Ｐwｎ、横軸をＰwｎとして0.2≦ｍを満足するデータを下限データから連続５データを図７に示すようにグラフプロットし、回帰近似直線である一次近似直線ｙ＝ａｘ＋ｂを求める。このグラフプロットを例えば２乗から１０乗まで行い、それぞれの相関係数を算出する。
【００３１】
一次近似直線のａおよびｂおよび相関係数は下記の式により求める。
一次近似直線をｙ＝ａｘ＋ｂとすると、
【００３２】
【数１】
2007234165.tif 000003
で求められる。
【００３３】
これより、相関係数は次式で算出する。
【００３４】
【数２】
2007234165.tif 000004
【００３５】
ステップＳ１０６で２乗から１０乗までの相関係数を算出すると、この中で最大となる相関係数のｎ乗値を選択する（ステップＳ１０８）。ステップＳ１０８により最大となる相関係数のｎ乗値が選択されると、ＰスレッシュホールドＰthrを計算する（ステップＳ１１０）。具体的には、上記計算式によりｙ＝ａｘ＋ｂの傾きａと切片ｂとが求まるので、これより、ＰスレッシュホールドＰthrは、
Ｐthr＝−(ｂ／ａ）(1/n)
となる（ｎは選択したｎ乗値）。
【００３６】
ステップＳ１１０でＰスレッシュホールドＰthrが求まると、この値と標準パワーＰwsによりカッパκを求める。カッパκの算出式は、
κ＝Ｐws／Ｐthr
となる。ここで、標準パワーＰwsは図８に示すＤＯＷ(Direct Over Write)特性を事前評価して決定する。図８では、理解を容易にするため、エラーレートスペックを２８０（直線Ｌ１）と仮定して、ＤＯＷ(0)、ＤＯＷ(1)、ＤＯＷ(10)、ＤＯＷ(100)、ＤＯＷ(1000)（それぞれ括弧内は重ね書きの回数を示す）のデータをプロットしてグラフにしたときの一具体例を示している。
【００３７】
図８のグラフにおいて、エラーレートデータＥ１は16.5mwの記録パワーで1回ＤＯＷ(重ね書き)をした時のエラーレートデータを意味し、エラーレートデータＥ２は22mwの記録パワーで1000回ＤＯＷ(重ね書き)をした時のエラーレートデータを意味する。エラーレートスペックが２８０以下であるため、ＤＯＷ(1)の曲線とＤＯＷ(1000)の曲線が直線Ｌ１と接する記録パワー下限値Ｐ１および記録パワー上限値Ｐ２が記録パワーＰwの限界値となる。記録パワー下限値Ｐ１は16.8mw、記録パワー上限値Ｐ２は21.2mwであるので、標準パワーＰwsはＰws＝（Ｐ１＋Ｐ２）／２より１９mwとなる。したがって、例えばＰスレッシュホールドＰthrを12.71とすると、カッパκはκ＝１９／12.71より、1.495となる。
【００３８】
次に図３および図４を用いて本発明による記録パワー調整方法の実施の形態の動作例を説明する。なお、以下に説明する動作フローは、図２に示した最適なｎ乗値およびカッパκが決定された後に、光記録再生装置で実際に行われる最適記録パワーＰwoを決定するための処理である。また、図３において、ステップＳ２００〜Ｓ２０４は図２のステップＳ１００〜Ｓ１０４と同じ処理なので重複する説明は省略する。
【００３９】
図９は、ステップＳ２００のＰwsを２０mv、カッパκを1.51と仮定し、最適なｎ乗値を５乗としたときの光記録再生装置＃Ａの実測記録及び測定／計算したときのデータであり、ステップＳ２０２に示したように記録パワーＰwの間隔を１８ステップで行ったものを示している。ステップＳ２０６は、図９に示したデータの中から最適記録パワーＰwoの計算に使用できる上限データを仮最適記録パワーＰwt（Ｐwt＝Ｐthr*κ）として求める処理を示したものである。
【００４０】
ステップＳ２０８では、図９に示したデータの中から使用できるデータの条件とその数が所定の数以上存在するかどうかを判断する処理である。ここでは、データの下限値としてモジュレーションｍの値が0.2≦ｍを満足し、かつ記録パワーＰwが仮最適記録パワーＰwt以下（Ｐw≦Ｐwt）の選別条件を満たすデータが４個以上存在するかどうかを判断している。
【００４１】
ステップＳ２０８の判断結果によって、選別条件を満たすデータが４個以上存在する場合にはステップＳ２１４に進み、存在しない場合にはステップＳ２１０に進む。ステップ２１０では、リトライ回数が1回より少なければ（Ｎｏ）ステップＳ２１２に進んで記録パワーＰwの再設定を行い、ステップＳ２０２の処理に戻る。一方、リトライ回数が１回であれば、既知の光ディスクかどうかの判断を行い（ステップＳ２３０）、既知の光ディスクであれば登録ＰwsをＰwoとして設定する（ステップＳ２３２）。また、既知の光ディスクで無ければ、光ディスクのディスク情報から取得した記録パワーをＰwoとして設定する（ステップＳ２３４）。
【００４２】
ステップＳ２１４に戻って、この処理ではステップＳ２０８の選別条件を満たすデータから算出した相関係数が0.9以上であるかどうかを判断する。相関係数≧0.9であれば、最適記録パワーＰwo計算用データ選別条件を満足する全データで最適記録パワーＰwoを算出し（ステップＳ２１６）、これを最適記録パワーＰwoとして設定する（ステップＳ２１８）。
【００４３】
すなわち、図９に示したデータの中からステップＳ２０８の選別条件を満たすデータより、一次近似式の傾き（ａ）と切片（ｂ）からＰスレッショホールドＰthrを求める。図９に示す実測データをグラフプロットすると、実際の値は異なるが図１３または図１４に示すように非常に直線に近いデータ分布となり、選別条件を満たすデータであればどこをとっても差異がほとんど無くなる。
【００４４】
カッパκは固定であるため、ＰスレッショホールドＰthrが求まれば最適記録パワーＰwoはＰwo＝Ｐthr*κで計算できる。図１０は図９に示したデータの中からステップＳ２０８の選別条件を満たすデータよりステップＳ２１６で算出した各計算項目（一次近似式の傾き（ａ）・切片（ｂ）、相関係数、ＰスレッショホールドＰthrおよびＰthr(1/5)、最適記録パワーＰwoの値を示している。また、図１１および図１２は、光記録再生装置＃Ａとレーザダイオードのパワー特性の異なる光記録再生装置＃Ｂの実測データおよび計算結果を示したものである。
【００４５】
光記録再生装置＃Ａと光記録再生装置＃Ｂは、いずれも記録パワー始点終点設定の標準パワーＰwsを２０mwとし、カッパκを1.51としている。これら結果より、ストラテジの設計者が設定した標準記録パワーＰwsやカッパκの値が同じでも、光記録再生装置の個体差によりモジュレーションｍの値が異なって、最適記録パワーＰwoの値が異なることが解る。
【００４６】
図１５は、図９の実測データとなった光記録再生装置＃Ａと、図１１の実測データとなった光記録再生装置＃Ｂにおける、縦軸をジッタ値、横軸を記録パワーとしたときのグラフである。図１５から明らかなように、光記録再生装置＃Ａのグラフでは最適記録パワーＰwo＝19.93付近から（図１０参照）からジッタが安定しており、光記録再生装置＃Ｂのグラフでは最適記録パワーＰwo＝18.64付近から（図１２参照）からジッタが安定しているのが解る。したがって、どちらの光記録再生装置でもジッタ値が安定し始める記録パワーを最適記録パワーＰwoとして算出できていることが理解できる。
【００４７】
ステップＳ２１４に戻って、相関係数の値が0.9より小さかった場合、モジュレーションｍの大きい上位データより１データづつ削除していき、相関係数の値が0.9より大きくなるまでこれを繰り返す（ステップＳ２２０、Ｓ２２２）。ステップＳ２２２で相関係数≧0.9を満足すると、ステップＳ２０８と同様に削除後の有効データが４個以上存在するかどうかを判断する（ステップＳ２２４）。削除後の有効データが４個以上存在する場合には、最適記録パワーＰwoの計算を行い（ステップＳ２２６）、算出した最適記録パワーＰwoを設定する（ステップＳ２１８）。
【００４８】
ステップＳ２２４において、有効データが４個よりも少ない場合、リトライ回数が１回かどうかを判断し（ステップＳ２２８）、１回であれば前述したステップＳ２３０の処理を行う。一方、リトライ回数が１回でなければステップＳ２００に戻り記録パワー始点終点の再設定を行う。
【００４９】
次に、「背景技術」で記載した特許文献１と本実施の形態との効果の差異を実験例を基に説明する。図１６および図１８は、先願特許である特許文献１と本実施の形態である本提案とを同一の条件で、２台の光記録再生装置（＃１および＃２）によって採取したデータである。これらデータの評価比較の条件としては、モジュレーションｍの値が0.2以上となったデータより連続５データを範囲Ａとし、ＰスレッショホールドＰthr(A)を算出した。また、モジュレーションｍの値が0.2以上となったデータより６番目〜１０番目５データを範囲Ｂとし、ＰスレッショホールドＰthr(B)を算出した。
【００５０】
図１７は図１６に示した光記録再生装置＃１における先願特許と本提案との差異を示したものであり、図１９は図１８に示した光記録再生装置＃２における先願特許と本提案との差異を示したものである。図１７および図１９のいずれでも、範囲ＡのＰスレッショホールドＰthr(A)と範囲ＢのＰスレッショホールドＰthr(B)との差であるΔＰthrは、先願特許に比べて本提案が小さい（バラツキ幅が狭い）結果となり、本提案の有効性が確認できる。
【００５１】
以上詳細に説明したように本実施の形態によれば、相関係数が最大となるｎ乗値を選択することで、有効データの範囲で最も直線性に優れたデータを採取可能となるため、計算に用いる有効データの範囲が異なってもＰスレッショホールドＰthrの値にほとんど差が無くなり、結果として理想的な最適記録パワーＰwoを設定することが可能となる。
【図面の簡単な説明】
【００５２】
【図１】本発明による光記録再生装置における記録パワー調整方法の実施の形態を示す機能ブロック図。
【図２】本実施の形態における光ディスク毎に最適なｎ乗値およびカッパκを決定するための動作フロー。
【図３】本実施の形態における光記録再生装置において最適記録パワーＰwoを設定するまでの動作フローその１。
【図４】本実施の形態における光記録再生装置において最適記録パワーＰwoを設定するまでの動作フローその２。
【図５】記録パワーＰwを説明するための説明図。
【図６】モジュレーションｍを求めるときのＲＦ信号の一例を示した波形図。
【図７】縦軸をｍ＊Ｐwｎ、横軸をＰwｎとしたときのデータをグラフプロットしたときの本実施の形態におけるグラフ例。
【図８】標準記録パワーＰwsを求めるためにＤＯＷを実行したときのデータをグラフプロットしたグラフ例。
【図９】本実施の形態を適用して光記録再生装置＃Ａの実測データを採取したときのデータ例。
【図１０】図９のデータに基づいて最適記録パワーＰwo等の計算項目の計算結果を示した計算例。
【図１１】本実施の形態を適用して光記録再生装置＃Ｂの実測データを採取したときのデータ例。
【図１２】図１１のデータに基づいて最適記録パワーＰwo等の計算項目の計算結果を示した計算例。
【図１３】本実施の形態におけるｎ乗値を５乗としたときのデータをグラフプロットしたときのグラフ例。
【図１４】本実施の形態におけるｎ乗値を５乗としたときのデータをグラフプロットしたときのグラフの他の例。
【図１５】光記録再生装置＃Ａと光記録再生装置＃Ｂにおけるジッタ値と記録パワーとの関係をグラフにした、本実施の形態の有効性を証明するための説明図。
【図１６】光記録再生装置＃１における先願と本実施の形態で同じ条件でデータを採取したときのデータ例。
【図１７】図１６に示したデータから範囲Ａと範囲Ｂにおける先願と本実施の形態でのＰスレッショホールドＰthrを算出し、その差ΔＰthrを示すことにより本実施の形態の有効性を示した説明図。
【図１８】光記録再生装置＃２における先願と本実施の形態で同じ条件でデータを採取したときのデータ例。
【図１９】図１８に示したデータから範囲Ａと範囲Ｂにおける先願と本実施の形態でのＰスレッショホールドＰthrを算出し、その差ΔＰthrを示すことにより本実施の形態の有効性を示した説明図。
【図２０】従来技術において求めたデータをグラフプロットしたときの一例を示したグラフ。
【符号の説明】
【００５３】
１    光ディスク
２    光ディスク装置
３    パーソナルコンピュータ
２００  スピンドルモータ
２０２  光ピックアップ装置
２０６  ステッピングモータ
２０８  ドライバ
２１０  アナログフロントエンド
２１２  デジタル信号処理回路
２１４  エンコーダ／デコーダ
２１６  バッファメモリ
２１８  ホストインタフェース
２２０  ＭＰＵ
２２２  フラッシュメモリ
【図１】
2007234165.tif 000005
【図２】
2007234165.tif 000006
【図３】
2007234165.tif 000007
【図４】
2007234165.tif 000008
【図５】
2007234165.tif 000009
【図６】
2007234165.tif 000010
【図７】
2007234165.tif 000011
【図８】
2007234165.tif 000012
【図９】
2007234165.tif 000013
【図１０】
2007234165.tif 000014
【図１１】
2007234165.tif 000015
【図１２】
2007234165.tif 000016
【図１３】
2007234165.tif 000017
【図１４】
2007234165.tif 000018
【図１５】
2007234165.tif 000019
【図１６】
2007234165.tif 000020
【図１７】
2007234165.tif 000021
【図１８】
2007234165.tif 000022
【図１９】
2007234165.tif 000023
【図２０】
2007234165.tif 000024